【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
光電変換素子と、
前記光電変換素子で発生した電荷に基づく信号を受けるゲートを含む増幅トランジスタと、
前記ゲートに接続された少なくとも１つのトランジスタと、
前記増幅トランジスタからの電流が流れる第１の経路に、前記増幅トランジスタに対して直列に配された選択トランジスタと、
前記第１の経路とは分離された第２の経路へ第１の基準電流を出力する第１の電流源と、
前記増幅トランジスタのソースおよびドレインのいずれか一方に電気的に接続された制御線の電圧を制御する電圧制御部と、
前記増幅トランジスタからの電流と前記第１の基準電流とを比較するための比較部と、を備え、
前記少なくとも１つのトランジスタが導通状態である期間に、前記選択トランジスタが非導通状態である、
ことを特徴とする光電変換装置。
【請求項２】
前記少なくとも１つのトランジスタは、前記光電変換素子で発生した電荷を転送する転送トランジスタである、
ことを特徴とする請求項１に記載の光電変換装置。
【請求項３】
前記少なくとも１つのトランジスタは、前記ゲートの電圧をリセットするリセットトランジスタである、
ことを特徴とする請求項１に記載の光電変換装置。
【請求項４】
前記少なくとも１つのトランジスタは、前記光電変換素子で発生した電荷を転送する転送トランジスタ、および、前記ゲートの電圧をリセットするリセットトランジスタを含み、
前記リセットトランジスタが導通状態である期間、および、前記転送トランジスタが導通状態である期間のそれぞれにおいて、前記選択トランジスタが非導通状態である、
ことを特徴とする請求項１に記載の光電変換装置。
【請求項５】
前記電圧制御部は、前記制御線と第１電圧を供給する第１電圧ノードとの間の経路に配されたスイッチ、および、前記制御線と第２電圧を供給する第２電圧ノードとの間の経路に配された第２の電流源を含む、
ことを特徴とする請求項１乃至請求項４のいずれか一項に記載の光電変換装置。
【請求項６】
前記スイッチを導通状態にすることで、前記制御線の電圧を前記第１電圧に基づく電圧にリセットし、
前記スイッチを非導通状態にすることで、前記第２の電流源によって前記制御線の電圧を前記第２電圧に近づくように変化させる、
ことを特徴とする請求項５に記載の光電変換装置。
【請求項７】
前記制御線の電圧がリセットされたとき、前記増幅トランジスタが非導通状態になり、
前記電圧制御部が前記制御線の電圧を変化させた結果、前記増幅トランジスタが導通状態になる、
ことを特徴とする請求項６に記載の光電変換装置。
【請求項８】
前記第２の電流源の出力する第２の基準電流の電流値が可変である、
ことを特徴とする請求項５乃至請求項７のいずれか一項に記載の光電変換装置。
【請求項９】
前記電圧制御部は、前記制御線に接続された第１のノードを有する容量を含む、
ことを特徴とする請求項５乃至請求項８のいずれか一項に記載の光電変換装置。
【請求項１０】
前記容量の容量値が可変であること、
を特徴とする請求項９に記載の光電変換装置。
【請求項１１】
前記容量は、前記第１のノードとは別であって、第３電圧が供給された第２のノードを有し、
前記第１電圧は前記第２電圧と前記第３電圧との間の電圧である、
ことを特徴とする請求項９または請求項１０に記載の光電変換装置。
【請求項１２】
前記容量は、前記第１のノードとは別であって、第３電圧が供給された第２のノードを有し、
前記第３電圧は、前記第１電圧と前記第２電圧との間の電圧であるか、または、前記第２電圧と等しい、
ことを特徴とする請求項９または請求項１０に記載の光電変換装置。
【請求項１３】
前記トランジスタのソースおよびドレインの他方に接続された第３の電流源を備える、
ことを特徴とする請求項１乃至請求項１２のいずれか一項に記載の光電変換装置。
【請求項１４】
前記比較部は、カレントミラー回路を含み、
前記カレントミラー回路は、前記第１の経路に配された第１のトランジスタと、前記第２の経路に配された第２のトランジスタとを含み、
前記第１のトランジスタのゲートおよびドレインが互いに短絡されている、
ことを特徴とする請求項１乃至請求項１３のいずれか一項に記載の光電変換装置。
【請求項１５】
前記第２のトランジスタのソースの側のノードと、前記第２のトランジスタのドレインの側のノードとを接続するトランジスタを備える、
ことを特徴とする請求項１４に記載の光電変換装置。
【請求項１６】
前記第２の経路であって、前記第２のトランジスタと前記第１の電流源との間に配されたトランジスタを備える、
ことを特徴とする請求項１４または請求項１５に記載の光電変換装置。
【請求項１７】
前記電圧制御部が前記制御線の電圧を変化させている期間に、前記増幅トランジスタからの電流と前記第１の参照電流とを比較することにより、前記ゲートが受ける信号に対応するデジタル信号を生成する、
ことを特徴とする請求項１乃至請求項１６のいずれか一項に記載の光電変換装置。
【請求項１８】
前記電圧制御部は、単位時間における前記制御線の電圧の変化量を切り替える、
ことを特徴とする請求項１乃至請求項１７のいずれか一項に記載の光電変換装置。
【請求項１９】
前記選択トランジスタが非導通状態である期間が、前記少なくとも１つのトランジスタが導通状態である期間を包含する、
ことを特徴とする請求項１乃至請求項１８のいずれか一項に記載の光電変換装置。
【請求項２０】
前記少なくとも１つのトランジスタが非導通状態から導通状態へ遷移するときに、前記選択トランジスタが非導通状態である、
ことを特徴とする請求項１乃至請求項１９のいずれか一項に記載の光電変換装置。
【請求項２１】
前記光電変換素子、前記増幅トランジスタ、および、前記選択トランジスタをそれぞれが含む複数の画素を備え、
前記複数の画素のそれぞれの前記増幅トランジスタの前記ソースおよびドレインのいずれか一方が、前記制御線に電気的に接続される、
ことを特徴とする請求項１乃至請求項２０のいずれか一項に記載の光電変換装置。
【請求項２２】
請求項１乃至請求項２１のいずれか一項に記載の光電変換装置と、
前記光電変換装置からの信号を処理する信号処理装置と、を備えた光電変換システム。
【請求項２３】
光電変換素子と、
前記光電変換素子で発生した電荷に基づく信号を受けるゲートを含む増幅トランジスタと、
前記ゲートに接続された少なくとも１つのトランジスタと、
前記増幅トランジスタからの電流が流れる第１の経路に、前記増幅トランジスタに対して直列に配された選択トランジスタと、
前記第１の経路とは分離された第２の経路へ第１の基準電流を出力する第１の電流源と、
前記増幅トランジスタのソースおよびドレインのいずれか一方に電気的に接続された制御線の電圧を制御する電圧制御部と、
前記増幅トランジスタからの電流と前記第１の基準電流とを比較するための比較部と、を備える光電変換装置の駆動方法であって、
前記少なくとも１つのトランジスタが導通状態である期間に、前記選択トランジスタが非導通状態にする、
ことを特徴とする光電変換装置の駆動方法。
【手続補正２】
【補正対象書類名】明細書
【補正対象項目名】０００６
【補正方法】変更
【補正の内容】
【０００６】
本発明の１つの側面に係る実施例の撮像装置は、光電変換素子と、前記光電変換素子で発生した電荷に基づく信号を受けるゲートを含む増幅トランジスタと、前記ゲートに接続された少なくとも１つのトランジスタと、前記増幅トランジスタからの電流が流れる第１の経路に、前記増幅トランジスタに対して直列に配された選択トランジスタと、前記第１の経路とは分離された第２の経路へ第１の基準電流を出力する第１の電流源と、前記増幅トランジスタのソースおよびドレインのいずれか一方に電気的に接続された制御線の電圧を制御する電圧制御部と、前記増幅トランジスタからの電流と前記第１の基準電流とを比較するための比較部と、を備え、前記少なくとも１つのトランジスタが導通状態である期間に、前記選択トランジスタが非導通状態であることを特徴とする。